(57)【要約】【課題】軽量であり、装脱着が容易であるとともに装着者への負担が少なく且つ折畳んで持ち運ぶことができる乳幼児用の折畳み式抱っこ紐を提供する。【解決手段】本考案の抱っこ紐１は、（Ａ）装着者の腹側及び背中側に交差部が形成されるように、腹側交差部Ａのみが縫製により固定された２本の幅５０〜２５０ｍｍの環状帯体２１、２２と、（Ｂ）腹側交差部Ａの上方において環状帯体２１、２２に縫製により固定された、乳幼児の背中を支える背当て部３と、（Ｃ）ストッパ部４１と一端が輪状のゴム紐４２とからなり、背当て部３の上縁３１の長さを調整することができる折畳み形態保持用紐体４と、を備えており、抱っこ紐１を折畳んだ際、折畳まれた抱っこ紐１を紐体４の輪状部分に挿通することで、折畳まれた状態がゴム紐４２の張力により保持される。【選択図】図３
0003128596.tif 000002
【実用新案登録請求の範囲】
【請求項１】
乳幼児用の折畳み式抱っこ紐であって、
（Ａ）装着者の腹側及び背中側に交差部が形成されるように、該腹側の交差部のみが縫製により固定された２本の環状帯体と、
（Ｂ）前記腹側の交差部の上方において前記環状帯体に縫製により固定された、乳幼児の背中を支える背当て部と、
（Ｃ）前記環状帯体又は前記背当て部に形成された折畳み形態保持用紐体と、を備えており、
前記各環状帯体はそれぞれ一本の帯体がねじれた状態で環状となっており、且つ本折畳み式抱っこ紐を折畳んだ際に、折畳まれた状態が前記折畳み形態保持用紐体により保持されることを特徴とする折畳み式抱っこ紐。
【請求項２】
前記環状帯体の幅が、５０〜２５０ｍｍである請求項１に記載の折畳み式抱っこ紐。
【請求項３】
前記背当て部の上縁の長さが調節可能となっている請求項２に記載の折畳み式抱っこ紐。
【請求項４】
前記折畳み形態保持用紐体が前記背当て部に形成されており、該折畳み形態保持用紐体により該背当て部の上縁の長さを調節できる請求項２に記載の折畳み式抱っこ紐。
【請求項５】
前記折畳み形態保持用紐体が前記背当て部の上縁に形成された長尺状の紐通し穴に挿通されている請求項４に記載の折畳み式抱っこ紐。
【請求項６】
前記折畳み形態保持用紐体は、ストッパ部と該ストッパ部に一端が輪状となるように挿通されたゴム紐とからなり、該ゴム紐の他端は前記背当て部の上縁の紐通し穴に挿通され縫製により固定されており、該ストッパ部を移動させることにより前記背当て部の上縁の長さを調整することができ、且つ本折畳み式抱っこ紐を折畳んだ際に、折畳まれた本抱っこ紐を前記ゴム紐の輪状部分に挿通し、該輪状部分の張力により折畳まれた状態が保持される請求項５に記載の折畳み式抱っこ紐。
【請求項７】
前記環状帯体の幅が、７０〜２００ｍｍである請求項６に記載の折畳み式抱っこ紐。
【請求項８】
前記環状帯体の幅が、８０〜１５０ｍｍである請求項６に記載の折畳み式抱っこ紐。
【請求項９】
前記環状帯体及び背当て部が、共にキルティング加工された布地からなる請求項６乃至８のいずれかに記載の折畳み式抱っこ紐。
【請求項１０】
前記環状帯体及び前記背当て部の少なくとも一部に、ポケットが形成されている請求項６乃至９のいずれかに記載の折畳み式抱っこ紐。
【請求項１１】
前記環状帯体及び前記背当て部の少なくとも一部に、輪状の引掛け部が形成されている請求項６乃至１０のいずれかに記載の折畳み式抱っこ紐。
【考案の詳細な説明】
【技術分野】
【０００１】
本考案は、折畳み式抱っこ紐に関する。更に詳しくは、本考案は、軽量であり、装脱着が容易であるとともに装着者への負担が少なく且つ折畳んで持ち運ぶことができる乳幼児用の折畳み式抱っこ紐に関する。
【背景技術】
【０００２】
従来より、多種多様のデザインや素材の抱っこ紐が製造され、実用に供せられている（例えば、特許文献１及び２等参照。）。
しかしながら、従来の抱っこ紐には、バックル等の留具による固定箇所が多数存在し、装脱着する方法が複雑なものが多く、装脱着の際に手間がかかったり、その際の音や振動で乳幼児が寝ているのを起こしてしまったり、乳幼児の皮膚や衣服がその留具に挟まれたりすることがあった。そのため、装脱着がより容易であり、留具の少ないものが求められている。また、抱っこ紐を長時間装着する際には、本体の重量が重いほど装着者の肩等への負担が大きく、より軽量なものが求められている。更には、本体の形状が固定されているものが多く、装着していない場合の持ち運びに不便であり、折畳み式のものを求める声もある。
【０００３】
【特許文献１】特開２００１−３２７３６９号公報
【特許文献２】特開２００５−１２０５５２号公報
【考案の開示】
【考案が解決しようとする課題】
【０００４】
本考案は、前記実情に鑑みてなされたものであって、軽量であり、装脱着が容易であるとともに装着者への負担が少なく且つ折畳んで持ち運ぶことができる乳幼児用の折畳み式抱っこ紐を提供することを課題とする。
【課題を解決するための手段】
【０００５】
本考案は、以下のとおりである。
［１］乳幼児用の折畳み式抱っこ紐であって、
（Ａ）装着者の腹側及び背中側に交差部が形成されるように、該腹側の交差部のみが縫製により固定された２本の環状帯体と、
（Ｂ）前記腹側の交差部の上方において前記環状帯体に縫製により固定された、乳幼児の背中を支える背当て部と、
（Ｃ）前記環状帯体又は前記背当て部に形成された折畳み形態保持用紐体と、を備えており、
前記各環状帯体はそれぞれ一本の帯体がねじれた状態で環状となっており、且つ本折畳み式抱っこ紐を折畳んだ際に、折畳まれた状態が前記折畳み形態保持用紐体により保持されることを特徴とする折畳み式抱っこ紐。
［２］前記環状帯体の幅が、５０〜２５０ｍｍである上記［１］に記載の折畳み式抱っこ紐。
［３］前記背当て部の上縁の長さが調節可能となっている上記［２］に記載の折畳み式抱っこ紐。
［４］前記折畳み形態保持用紐体が前記背当て部に形成されており、該折畳み形態保持用紐体により該背当て部の上縁の長さを調節できる上記［２］に記載の折畳み式抱っこ紐。
［５］前記折畳み形態保持用紐体が前記背当て部の上縁に形成された長尺状の紐通し穴に挿通されている上記［４］に記載の折畳み式抱っこ紐。
［６］前記折畳み形態保持用紐体は、ストッパ部と該ストッパ部に一端が輪状となるように挿通されたゴム紐とからなり、該ゴム紐の他端は前記背当て部の上縁の紐通し穴に挿通され縫製により固定されており、該ストッパ部を移動させることにより前記背当て部の上縁の長さを調整することができ、且つ本折畳み式抱っこ紐を折畳んだ際に、折畳まれた本抱っこ紐を前記ゴム紐の輪状部分に挿通し、該輪状部分の張力により折畳まれた状態が保持される上記［５］に記載の折畳み式抱っこ紐。
［７］前記環状帯体の幅が、７０〜２００ｍｍである上記［６］に記載の折畳み式抱っこ紐。
［８］前記環状帯体の幅が、８０〜１５０ｍｍである上記［６］に記載の折畳み式抱っこ紐。
［９］前記環状帯体及び背当て部が、共にキルティング加工された布地からなる上記［６］乃至［８］のいずれかに記載の折畳み式抱っこ紐。
［１０］前記環状帯体及び前記背当て部の少なくとも一部に、ポケットが形成されている上記［６］乃至［９］のいずれかに記載の折畳み式抱っこ紐。
［１１］前記環状帯体及び前記背当て部の少なくとも一部に、輪状の引掛け部が形成されている上記［６］乃至［１０］のいずれかに記載の折畳み式抱っこ紐。
【考案の効果】
【０００６】
本考案の折畳み式抱っこ紐は、軽量であり且つねじれた状態で環状となっている環状帯体から形成されているため、帯体の幅広な面のみが装着者の身体に接し、帯体が肌に食い込んだりせず負担が少ない。また、装脱着が容易であるうえ、軽量であり且つ折畳み式であるため持ち運びにも便利である。
また、環状帯体の幅が５０〜２５０ｍｍである場合には、帯体が肌に食い込んだりせず、装着者の肩等への負担をより少なくすることができる。
更に、背当て部に形成された折畳み形態保持用紐体等により、上縁の長さが調節可能となっている場合には、抱っこする乳幼児の体長に合わせて、乳幼児の首もとの開口具合を容易に調整することができる。
また、折畳み形態保持用紐体がストッパ部を備え且つ一端が輪状のゴム紐からなる場合、その輪状部分に折畳まれた抱っこ紐を挿通し、その輪状部分の張力によって、折畳まれた状態を容易に保持することができ、持ち運びにも便利である。
更に、環状帯体の幅が７０〜２００ｍｍ（特に、８０〜１５０ｍｍ）である場合には、帯体が肌に食い込んだりせず、装着者の肩等への負担をより少なくすることができる。
また、環状帯体及び背当て部が、キルティング加工された布地からなる場合には、強度に優れ且つより軽量な折畳み式抱っこ紐とすることができる。
更に、環状帯体及び背当て部の少なくとも一部に、ポケットが形成されている場合には、ガーゼ、ティッシュ等を収納でき便利である。
また、環状帯体及び背当て部の少なくとも一部に、輪状の引掛け部が形成されている場合には、乳幼児用のおしゃぶりや玩具をぶら下げることができる。
【考案を実施するための最良の形態】
【０００７】
以下、本考案を、更に詳しく説明する。
本考案の折畳み式抱っこ紐（以下、単に「抱っこ紐」ともいう。）は、２本の環状帯体と、背当て部と、折畳み形態保持用紐体と、を備えている。
前記「２本の環状帯体」は、本抱っこ紐を装着した際に、装着者の腹側及び背中側に交差部（図１における「腹側交差部Ａ」及び図２における「背中側交差部Ｂ」参照）が形成されるように配置され、且つ腹側の交差部のみで縫製により固定されている。尚、この腹側交差部において、乳幼児の臀部が支えられる（図１０参照）。
また、前記環状帯体は、それぞれ一本の帯体がねじれた状態で環状となっており、このねじれた部分（以下、「ねじれ部」ともいう。）は、装着者の横腹に沿うように形成されており、装着者の横腹から乳幼児の股部付近にかけて配置されるように装着される（図１、図２、図１０及び図１１における「ねじれ部２Ａ、２Ｂ」参照）。本考案の抱っこ紐においては、装着者の肩、背中及び横腹に対して環状帯体が幅広な部分のみで接することになり、環状帯体が肌に食い込んだりせず、装着者への負担が少ない。また、このねじれ部の存在により、抱っこされる乳幼児の太腿や股部に対しても環状帯体の幅広な部分が接することになるため、乳幼児への負担も少ない。
【０００８】
前記環状帯体の幅は特に限定されず、装着者の体型に合わせて適宜調整することができる。具体的には、この幅は、例えば、５０〜２５０ｍｍ、特に７０〜２００ｍｍ、更には８０〜１５０ｍｍとすることができる。この幅が、５０〜２５０ｍｍである場合には、帯体が肌に食い込んだりせず、装着者の肩等への負担をより少なくすることができる。尚、帯体の幅は、全て同じ長さであってもよいし、部分的に異なっていてもよい。
【０００９】
前記「背当て部」は、乳幼児の背中、更には首や頭を支える部分であり、本抱っこ紐における腹側の交差部の上方において、具体的には、本抱っこ紐を装着した際に２本の環状帯体とその交差部（腹側）とにより形成されるＶ字ゾーンにおいて、環状帯体に縫製により固定されている（図１における「背当て部３」を参照）。
【００１０】
前記背当て部の形状は特に限定されず、乳幼児の背中付近を支えることが可能であればよい。また、この背当て部においては、上縁の長さが調節可能となっていることが好ましい。この場合、乳幼児の体長に合わせて、乳幼児の首もとの開口具合を容易に調整することができる。
また、この上縁の長さを調節可能とする構成は特に限定されず、例えば、紐体やゴム紐等を用いた構成とすることができる。具体的には、上縁に形成された長尺状の紐通し穴にゴム紐を挿通し、ゴム紐の両端を縫製により固定して、その張力により開口具合を調整する構成等とすることができる。更には、後述の折畳み形態保持用紐体を用いた構成とすることができる。
【００１１】
また、前記背当て部は、（ｉ）２本の環状帯体の両方に縫製により固定されていてもよいし、（ｉｉ）一方の環状帯体に縫製により固定されており、他方の環状帯体にファスナ等により取り外し可能に形成されていてもよい。一端側が取り外し可能となっている場合には、乳幼児を抱っこ紐に収納したり、抱っこ紐から外したりするのが容易となる。
【００１２】
前記環状帯体及び背当て部の材質は特に限定されないが、例えば、木綿、ナイロン、ポリエステル及びシルク等の布地、更にはそれらの布地にキルティング加工を施した布地等を挙げることができる。これらのなかでも、キルティング加工された布地が強度に優れ且つ軽量であるという観点から好ましい。尚、前記環状帯体及び背当て部の材質は同一であってもよいし、異なっていてもよいが、共にキルティング加工された布地からなることが好ましい。
【００１３】
前記「折畳み形態保持用紐体」は、環状帯体又は背当て部に形成され、本抱っこ紐を折畳んだ際に、折畳まれた状態がこの折畳み形態保持用紐体により保持される。
折畳み形態保持用紐体の構成は、抱っこ紐を折畳んだ状態を保持できるものであれば、特に限定されない。例えば、（ｉ）ゴム紐等の紐体の一端が輪状の弾性体により形成されており、その輪状部分の張力により折畳み形態を保持できるものや、（ｉｉ）前記紐体の一端にボタン、バックル及び面ファスナ等の留具が形成されたものを用いて、予め所定の位置に形成されたそれらの留具に対応する留具により折畳み形態を保持できるもの等が挙げられる。
具体的な折畳み形態保持用紐体としては、例えば、ストッパ部とこのストッパ部に一端が輪状となるように挿通されたゴム紐とからなり、折畳まれた抱っこ紐をゴム紐の輪状部分に挿通し、輪状部分の張力により折畳まれた状態を保持できるもの（図１における「折畳み形態保持用紐体４」参照）が挙げられる。尚、この場合、ゴム紐の他端は前記背当て部の上縁に形成された紐通し穴に縫製により固定され、且つこのストッパ部を移動させることにより前記背当て部の上縁の長さを調整することができる。
【００１４】
また、本抱っこ紐においては、前記環状帯体及び背当て部の少なくとも一部にポケットを形成することができる。
前記「ポケット」の形状は特に限定されず、ボタン、面ファスナ、ファスナ等により開閉可能に形成されていてもよい。このポケットの配設位置は特に限定されないが、装着者の腹側（前方側）に形成されることが好ましい。また、形成されるポケットの数は特に限定されず、１つのみであってもよいし、２つ以上形成されていてもよい。このようなポケットが形成されている場合には、ガーゼ、ティッシュ等を収納でき便利である。
【００１５】
また、本抱っこ紐においては、前記環状帯体及び背当て部の少なくとも一部に輪状の引掛け部を形成することができる。
前記「引掛け部」の構成は特に限定されず、例えば、樹脂や金属製のリングを縫いつけたものであってもよいし、布や紐等の繊維によりループを形成したものであってもよい。この引掛け部の配設位置は特に限定されないが、装着者の腹側（前方側）に形成されることが好ましい。また、形成される引掛け部の数は特に限定されず、１つのみであってもよいし、２つ以上形成されていてもよい。このような引掛け部が形成されている場合には、乳幼児用のおしゃぶりや玩具をぶら下げることができる。
【００１６】
また、本抱っこ紐においては、抱っこ紐の隙間からの乳幼児の落下を防止するための補助帯が環状帯体に形成されていてもよい。この補助帯の形成位置は特に限定されないが、例えば、乳幼児の右腕と右足の間、及び左腕と左足の間の隙間をなくすように、装着者の左右の横腹付近において、前後の環状帯体を橋架けするように形成されることが好ましい。また、補助帯の構成は特に限定されないが、腹側及び背中側の環状帯体を橋架けでき、面ファスナやボタン等により接続固定可能なものが好ましい。
【実施例】
【００１７】
以下、図面を参照して、本考案について更に詳細に説明する。
<第１実施形態>
［１］折畳み式抱っこ紐の構成
以下、本考案の実施形態について図１及び図２を参照しつつ具体的に説明する。ここで、図１及び図２は本考案の抱っこ紐の構成を説明する模式図を示している。
【００１８】
図１及び図２に示すように、抱っこ紐１は、（Ａ）環状帯体２１、２２と、（Ｂ）背当て部３と、（Ｃ）折畳み形態保持用紐体４とを備えている。
【００１９】
環状帯体２１、２２は、それぞれ、一本の帯体〔キルティング加工された木綿製の布地（幅；１２０〜１３０ｍｍ）〕がねじれた状態で環状となっており、装着者の腹側及び背中側に交差部Ａ、Ｂが形成されるように配置され、腹側交差部Ａのみで縫製により固定されている。尚、環状帯体２１におけるねじれ部２Ａ、及び環状帯体２２におけるねじれ部２Ｂは、図１０及び図１１に示すように、抱っこ紐を装着した際、装着者の横腹から乳幼児の股部付近にかけて幅広な面が配置されるように装着される。
【００２０】
背当て部３は、乳幼児の背中、更には首や頭を支える部分であり、キルティング加工された木綿製の布地からなり、抱っこ紐１を装着した際に２本の環状帯体２１、２２とその腹側交差部Ａとにより形成されるＶ字ゾーンにおいて、各環状帯体２１、２２に縫製により固定されている。
また、背当て部３の上縁３１には、折畳み形態保持用紐体４を挿通させるための長尺状の紐通し穴（図示せず）が形成されている。
【００２１】
折畳み形態保持用紐体４は、ストッパ部４１と、このストッパ部４１に一端が輪状となるように挿通されたゴム紐４２とからなり、ゴム紐４２の他端は前記背当て部３の上縁３１に形成された紐通し穴の奥で縫製により固定されている。そして、抱っこ紐１においては、このストッパ部４１を移動させることにより、背当て部３の上縁３１の長さを調整することができる。また、折畳み式抱っこ紐１を折畳んだ際に、折畳まれた抱っこ紐１を紐体４の輪状部分に挿通し、その輪状部分の張力により折畳まれた状態を保持することができる。
【００２２】
第１実施形態によれば、図１０及び図１１に示すように、抱っこ紐を装着した際、ねじれ部２Ａを有する環状帯体２１、及びねじれ部２Ｂを有する環状帯体２２の幅広な面のみが装着者の身体に接し、これらの帯体２１、２２が肌に食い込んだりせず、装着者の肩等への負担が少ない。
また、背当て部３の上縁３１の紐通し穴に挿通された折畳み形態保持用紐体４のストッパ部４１により、上縁３１の長さが調節可能となっており、乳幼児の体長に合わせて、乳幼児の首もとの開口具合を容易に調整することができる。
更に、抱っこ紐１を折畳んだ際、折畳み形態保持用紐体４の輪状部分に、折畳まれた抱っこ紐１を挿通し、その輪状部分の張力によって、折畳まれた状態を容易に保持することができるので、持ち運びにも便利である。
【００２３】
［２］折畳み式抱っこ紐の折畳み方法
前記第１実施形態の抱っこ紐は、下記（１）〜（７）のようにして折畳むことができる。尚、この折畳み方法については、図２及び図４〜図９を参照しつつ説明する。
（１）図２に示すように、背中側交差部Ｂが上面となるように抱っこ紐を配置する。
（２）各環状帯体２１、２２の背中側交差部Ｂ付近をつまみあげ、図２に示す矢印方向へ倒し、図４に示す形態とする。
（３）各環状帯体２１、２２の端部を、図４に示す矢印方向へ倒し、図５に示す形態とする。
（４）環状帯体２２側を、図５に示す矢印方向へ倒し、図６に示す形態とする。
（５）環状帯体２１側を、図６に示す矢印方向へ倒し、図７に示す形態とする。
（６）図７における抱っこ紐の左側端部から右側へ丸めて、図８に示す形態とする。
（７）ストッパ部４１をスライドさせ、ゴム紐４２における輪状部分の輪の大きさを調整し、図９に示すように折畳まれた抱っこ紐を輪状部分に挿通し、この輪状部分の張力により折畳まれた抱っこ紐を固定する。
【００２４】
<第２実施形態>
本考案の第２実施形態について図３を参照しつつ説明する。尚、第１実施形態と同一の構成については、同一の符号を付し、構造及びその作用効果等の説明を省略する。
この第２実施形態の抱っこ紐１０においては、背当て部３にポケット５が形成されている点、及び、環状帯体２１、２２に、それぞれ、引掛け部６Ａ、６Ｂが形成されている点において、第１実施形態と異なっている。
ここで、図３は、正面側から見た際の折畳み式抱っこ紐を説明する模式図を示す。
【００２５】
前記ポケット５は、Ｖ字形状であり、上方部が開口しており、環状帯体２１、２２及び背当て部３と同様にキルティング加工された木綿製の布地により形成されている。
前記引掛け部６Ａ、６Ｂは、木綿製の布地によりループを形成したものである。
【００２６】
第２実施形態によれば、図３に示すように、背当て部３にポケット５を備えており、ガーゼやティッシュ等を収納しておくことができる。また、胸部（環状帯体２１、２２）に２つの引掛け部６Ａ、６Ｂを備えており、乳幼児用のおしゃぶりやお気に入りの玩具をぶら下げることができる。
【００２７】
尚、本考案においては、図面によって説明した前記実施形態に限定されるものではなく、目的、用途に基づいて本考案の範囲内で種々変更した実施形態とすることができる。
例えば、前記第１及び第２実施形態（図１〜３参照）において、背当て部３の側部は、環状帯体２１及び環状帯体２２に縫製により固定されているが、どちらか一方の側部がファスナ等により接続固定されており、開閉可能に形成されていてもよい。この場合、乳幼児を抱っこ紐に収納したり、抱っこ紐から外したりするのが容易となる。また、前記第１及び第２実施形態において、抱っこ紐の隙間からの乳幼児の万が一の落下を防止するために補助帯が形成されていてもよい。具体的には、図１２に示すように、装着者の左右の横腹付近において前後の環状帯体２１、２２を橋架けするように、ボタンにより係止可能な補助帯７Ａ、７Ｂ（ボタンは図示せず）等が形成された抱っこ紐１００であってもよい。この場合、乳幼児の万が一の落下も防止することができ、安全である。
【図面の簡単な説明】
【００２８】
【図１】本考案の一例の抱っこ紐の構成（正面側）を説明する模式図である。
【図２】本考案の一例の抱っこ紐の構成（背面側）を説明する模式図である。
【図３】本考案の他例の抱っこ紐の構成（正面側）を説明する模式図である。
【図４】本考案の抱っこ紐の折畳み方法を説明する模式図である。
【図５】本考案の抱っこ紐の折畳み方法を説明する模式図である。
【図６】本考案の抱っこ紐の折畳み方法を説明する模式図である。
【図７】本考案の抱っこ紐の折畳み方法を説明する模式図である。
【図８】本考案の抱っこ紐の折畳み方法を説明する模式図である。
【図９】本考案の抱っこ紐の折畳み方法を説明する模式図である。
【図１０】本考案の抱っこ紐の使用形態（正面側）を説明する模式図である。
【図１１】本考案の抱っこ紐の使用形態（背面側）を説明する模式図である。
【図１２】本考案の他例の抱っこ紐の構成（正面側）を説明する模式図である。
【符号の説明】
【００２９】
１、１０、１００；折畳み式抱っこ紐、２１、２２；環状帯体、２Ａ、２Ｂ；ねじれ部、３；背当て部、３１；上縁、４；折畳み形態保持用紐体、４１；ストッパ部、４２；ゴム紐、５；ポケット、６Ａ、６Ｂ；引掛け部、７Ａ、７Ｂ；補助帯、Ａ；腹側交差部、Ｂ；背中側交差部。
【図１】
0003128596.tif 000003
【図２】
0003128596.tif 000004
【図３】
0003128596.tif 000005
【図４】
0003128596.tif 000006
【図５】
0003128596.tif 000007
【図６】
0003128596.tif 000008
【図７】
0003128596.tif 000009
【図８】
0003128596.tif 000010
【図９】
0003128596.tif 000011
【図１０】
0003128596.tif 000012
【図１１】
0003128596.tif 000013
【図１２】
0003128596.tif 000014